(57)【要約】【課題】大口径の管や既設管であっても容易かつ正確に罫書くことができる罫書き治具及び罫書き方法を提供する。【解決手段】管Ｋの切断線を罫書く罫書き治具１であって、略矩形状の天板１１と、天板１１から下方に立設する四つの脚部１２と、光源が天板１１よりも前方に突出し、少なくとも下方に対し線状にレーザー光を照射可能な発光部２０と、を備え、脚部１２下端はそれぞれ、天板１１と平行な同一平面内に存在する。そして、管Ｋの基準点を通るように管の周面にレーザー光を照射しその照射線上に罫書き線を引く。【選択図】図１
2019200130.tif 000002
【特許請求の範囲】
【請求項１】
管の切断線を罫書く罫書き治具であって、
天板と、
前記天板から下方に立設する四つの脚部と、
光源が前記天板よりも前方に突出し、少なくとも下方に対し線状にレーザー光を照射可能な発光部と、を備え、
前記脚部下端はそれぞれ、前記天板と平行な同一平面内に存在することを特徴とする罫書き治具。
【請求項２】
前記発光部から照射される線状のレーザー光の照射角度を変更可能なことを特徴とする請求項１に記載の罫書き治具。
【請求項３】
前記発光部は、その直下の点を示すようにレーザー光を照射可能で、
しかも水準器を左右方向に延びるように前記天板に配置したことを特徴とする請求項１又は２に記載の罫書き治具。
【請求項４】
管の切断線を罫書く罫書き方法であって、
管の基準点を通るように管の周面にレーザー光を照射しその照射線上に罫書き線を引くことを特徴とする罫書き方法。
【請求項５】
レーザー光の光源を移動させるとともに、前記管の周面に記された罫書き線に重なるようにレーザー光を照射させ、前記罫書き線を延長していくことを特徴とする請求項４に記載の罫書き方法。
【発明の詳細な説明】
【技術分野】
【０００１】
本発明は、管の切断線を罫書く罫書き治具及び罫書き方法に関するものである。
【背景技術】
【０００２】
工場等の既設配管を改造工事等行う場合、管の切断が必要となる。
改造工事等における既設管の基準点での切断や作業場での配管加工製作時には、その切断のために管を罫書かなければ正確な切断は困難になる。
中口径の管の罫書き方法としては、厚紙やプラスチックの薄板で作った定規（型紙）を用いて管の周方向へ密着胴巻きにして、それを一周させてその定規を用いて線を引いていた。
【０００３】
他には、例えば特許文献１に記載のような罫書き治具を用い、管の端面から等距離の位置に罫書き線を引くこともある。
【０００４】
ここで、３００Ａ程度の口径の管を罫書くとき、厚紙定規を用いる罫書き方法の場合では１メートル程度の厚紙定規で足りる。
【先行技術文献】
【特許文献】
【０００５】
【特許文献１】特開２０００−２４０８６４号公報
【発明の概要】
【発明が解決しようとする課題】
【０００６】
しかし、大口径配管の場合は、相当の型紙の長さ（１０００Ａでは、３．１４メートル以上）が必要になるので、正確な罫書きが難しかった。
また、他の方法としては計算により点を付していき、それを直線で結んで罫書き線を引く方法もあるが、多くの点を算出してプロットしなければいけないので、大変に手間が掛かる。
【０００７】
さらに、既設管や管材料の両端が切断された物を罫書く場合は、工場で正確な基準を元に罫書くことよりも難しくなる。そして、その罫書き線が正確に引かれたか、切断後その断面が正確かを確認することが困難であるので、管同士を接続する面合せの際に切削調整に手間がかかった。
【０００８】
そこで、本発明の目的とするところは、大口径の管や既設管であっても容易かつ正確に罫書くことができる罫書き治具及び罫書き方法を提供することにある。
【課題を解決するための手段】
【０００９】
上記の目的を達成するために、本発明の請求項１に記載の罫書き治具（１）は、管（Ｋ）の切断線を罫書く罫書き治具（１）であって、天板（１１）と、前記天板（１１）から下方に立設する四つの脚部（１２）と、光源が前記天板（１１）よりも前方に突出し、少なくとも下方に対し線状にレーザー光を照射可能な発光部（２０）と、を備え、前記脚部（１２）下端はそれぞれ、前記天板（１１）と平行な同一平面内に存在することを特徴とする。
【００１０】
また、請求項２に記載の罫書き治具（１）は、前記発光部（２０）から照射される線状のレーザー光の照射角度を変更可能なことを特徴とする。
【００１１】
また、請求項３に記載の罫書き治具（１）は、前記発光部（２０）は、その直下の点を示すようにレーザー光を照射可能で、しかも水準器を左右方向に延びるように前記天板（１１）に配置したことを特徴とする。
【００１２】
また、請求項４に記載の罫書き方法は、管（Ｋ）の切断線を罫書く罫書き方法であって、管（Ｋ）の基準点を通るように管（Ｋ）の周面にレーザー光を照射しその照射線上に罫書き線を引くことを特徴とする。
【００１３】
また、請求項５に記載の罫書き方法は、レーザー光の光源を移動させるとともに、前記管（Ｋ）の周面に記された罫書き線に重なるようにレーザー光を照射させ、前記罫書き線を延長していくことを特徴とする。
【００１４】
ここで、上記括弧内の記号は、図面および後述する発明を実施するための形態に掲載された対応要素または対応事項を示す。
【発明の効果】
【００１５】
本発明の請求項１に記載の罫書き治具によれば、天板から下方に立設する四つの脚部を備え、脚部下端はそれぞれ、天板と平行な同一平面内に存在するので、管の周面であっても安定して罫書き治具を配置することができる。
そして、光源が天板よりも前方に突出し、少なくとも下方に対し線状にレーザー光を照射可能な発光部を備えるので、管の周面に照射されたレーザー光上に罫書き線を引くことができる。
また、罫書き治具を平行移動させることで罫書き線を延長することができるので、大口径の管や既設管であっても容易かつ正確に罫書くことが可能である。
【００１６】
また、請求項２に記載の罫書き治具によれば、請求項１に記載の発明の作用効果に加え、発光部から照射される線状のレーザー光の照射角度を変更可能なので、管の軸に対して傾斜させて罫書くことができる。
【００１７】
また、請求項３に記載の罫書き治具によれば、請求項１又は２に記載の発明の作用効果に加え、発光部は、その直下の点を示すようにレーザー光を照射可能で、しかも水準器を左右方向に延びるように天板に配置したので、水平に配置された管の頂点の位置を罫書くことができる。
【００１８】
また、請求項４及び５に記載の罫書き方法によれば、管の基準点を通るように管の周面にレーザー光を照射しその照射線上に罫書き線を引き、レーザー光の光源を移動させるとともに、前記管の周面に記された罫書き線に重なるようにレーザー光を照射させ、前記罫書き線を延長していくので、大口径の管や既設管であっても容易かつ正確に罫書くことが可能である。
【００１９】
なお、本発明の罫書き治具及び罫書き方法のように、光源が前記天板よりも前方に突出し、少なくとも下方に対し線状にレーザー光を照射可能な発光部と、を備える点は、上述した特許文献１には全く記載されていない。
【図面の簡単な説明】
【００２０】
【図１】本発明の実施形態に係る罫書き治具を示す三面図である。
【図２】図１に示す罫書き治具の使用方法を示す平面図、側面図、及び断面図である。
【図３】図１に示す罫書き治具の他の使用方法を示す図である。
【図４】図１に示す罫書き治具のさらに他の使用方法を示す図である。
【図５】図１に示す罫書き治具のさらに他の使用方法を示す図である。
【図６】エビ管を示す図である。
【発明を実施するための形態】
【００２１】
図１及び図２を参照して、本発明の実施形態に係る罫書き治具１及び罫書き方を説明する。
この罫書き治具１は、管Ｋの切断線を罫書くものであって、本体部１０と、発光部２０と、を備える。
本実施形態において、別段記載しないときは管Ｋの軸は前後方向に伸びるものとし、前後左右上下はその状態において規定する。
【００２２】
本体部１０は、天板１１と、脚部１２と、を備え、主にステンレスからなる。
天板１１は平面かつ矩形状で、ここでは左右方向よりも前後方向の長さの方が長い。そして、天板１１が水平になるように配置される。
天板１１には前後方向および左右方向にそれぞれ水準器１５が取り付けられている。ここでは水平な天板１１に対して水準器１５が水平に取り付けられているが、これらの水準器１５が後述する発光部２０から出るレーザー光の基準として使用できれば、これに限られるものではない。
【００２３】
脚部１２は、天板１１の各隅部から下方に立設し四つ設けられる。
この脚部１２は、別の言い方をすれば、天板１１の前後左右のそれぞれの端部から立設してなる壁部１３から構成される。天板１１と壁部１３とは垂直である。
これらを四つの壁部１３をそれぞれ前壁１３ａ、後壁１３ｂ、右壁１３ｃ、左壁１３ｄと呼ぶことにする。
前壁１３ａ及び後壁１３ｂは、図１の正面図に示すように、中央における下方への立設量（壁部１３の高さ）が小さく、左右両側になるにつれ立設量が徐々に大きくなっている。
別の言い方をすれば、中央から左右両側に向けて突出量が徐々に大きくなるように傾斜している。
管Ｋの径によっては、前壁１３ａ及び後壁１３ｂの傾斜部分に管Ｋの周面がフィットして罫書き治具１の配置が安定する。
【００２４】
右壁１３ｃ及び左壁１３ｄは、図１の側面図に示すように、中央部分における下方への立設量が小さく、前後両側になるにつれ立設量が徐々に大きくなっている。
このような右壁１３ｃ及び左壁１３ｄの前部及び後部を脚部１２とも呼ぶことにする。そして、脚部１２の下端を磁石で構成した。
管Ｋに配置され罫書き治具１が使用される際に管Ｋと直接当接する脚部１２の下端は、ここでは右壁１３ｃ及び左壁１３ｄの前部及び後部の下端であり、その下端は前後に水平に伸びる。
脚部１２の長さはそれぞれ等しいので、脚部１２下端はそれぞれ、天板１１と平行な同一平面内に存在する。
【００２５】
右壁１３ｃ、左壁１３ｄ、及び後壁１３ｂには、基準点針１４が取り付けられており、基準点針１４は本体部１０に対して上下方向にスライド可能で、任意の上下位置で固定可能である。
右壁１３ｃ及び左壁１３ｄに取り付けられた基準点針１４の下端の位置は、本体部１０の前後方向の長さの中央となる位置である。
同様に、後壁１３ｂに取り付けられた基準点針１４の下端の位置は、本体部１０の左右方向の長さの中央となる位置である。
さらに、右壁１３ｃには上下方向、及び４５度方向に水準器１５が取り付けられている。
【００２６】
発光部２０は、レーザー墨出し器であり、図１に示すように、天板１１の前部上面に取り付けられた発光土台部２１を介して本体部１０に取付けられている。発光土台部２１は、例えば強化プラスチックからなる。
発光部２０の光源は天板１１よりも前方に突出し、かつ本体部１０に対して左右方向中央に位置するように取付けられている。
【００２７】
発光部２０は上下方向、左右方向、及び前後方向のそれぞれに対し線状にレーザー光を照射可能である。
また、発光部２０から照射される線状のレーザー光の照射角度を変更可能であって、例えば平面視において４５度回転させその位置で固定可能である。もちろん、３０度や６０度等の他の角度で固定可能であってもよい。
このような発光部２０は市販品として出回っている。
【００２８】
このように構成された罫書き治具１を使用した罫書き方法にについて、図２を参照しながら説明する。
まずは図２のαについて説明する。αは管Ｋの軸に対して垂直な罫書き線を引く場合である。ここでは横断切りと読んでいる。
【００２９】
まず、管Ｋの頂点を付す。つまり左右方向の水準器１５を合わせて、その位置において光源の直下位置が管Ｋの頂点である。ここに点を付す（状態Ａ）。これを基準点とする。
それと同時に、光源が下方に対し左右方向に伸びる線状に照射しているので、状態Ａでレーザー光を照射させつつ、その照射線上にペン等を用いて一つ又は複数の点を付す。
【００３０】
次に、罫書き治具１を管Ｋに沿わせて左右方向に移動させ状態Ｂのようにし、先に付した点を照射線が通るように罫書き治具１の位置を微調整する。
そして、このとき照射線上に複数の点を付す。
状態Ｃや状態Ｄとなるように順に罫書き治具１を管Ｋに沿わせて下方に移動させつつこれを繰り返し、付した点を直線で結ぶことで罫書き線を引いていく。
【００３１】
罫書き治具１の管Ｋに対して右方向に１８０度分行うとともに、左方向にも１８０度分行うと、管Ｋの下端位置において両方からの罫書き線が一致する。
【００３２】
この方法は、図２のβのように、罫書き治具１を９０度回転させた状態でも行うことができる。このβの場合には、後壁１３ｂに取り付けられた基準点針１４で点を付してもよい。
αとβのどちらの向きで行うかは、罫書き治具１の大きさと管Ｋの径との関係でやりやすいほうを選べば良い。
【００３３】
次に、図２のγのように、管Ｋの軸に対して斜め（直角以外）に罫書く場合を説明する。
まず、頂点を付すとともに、罫書き線上に存在する点を算出して管Ｋに付す。
そして、レーザー光の照射角度を所望の角度に変更し、発光部２０から照射される線状のレーザー光が頂点と算出点とを通るように、罫書き治具１を配置する（状態Ａ）。
この状態で、照射線上にペン等を用いて複数の点を付す。
【００３４】
次に、罫書き治具１を管Ｋに沿わせて前方かつ左右方向に移動させ状態Ｂのようにし、先に付した点を照射線が通るように罫書き治具１の位置を微調整する。
そして、照射線上に複数の点を付して、罫書き線を延長する。
これを左右両方向行い、斜切りと呼ばれる罫書き線を引く。
【００３５】
以上のように構成された罫書き治具１及び罫書き方法によれば、天板１１から下方に立設する四つの脚部１２を備え、脚部１２下端はそれぞれ、天板１１と平行な同一平面内に存在するので、管Ｋの周面であっても安定して罫書き治具１を配置することができる。
そして、光源が天板１１よりも前方に突出し、少なくとも下方に対し線状にレーザー光を照射可能な発光部２０を備えるので、管Ｋの周面に照射されたレーザー光上に罫書き線を引くことができる。
また、罫書き治具１を平行移動させることで罫書き線を延長することができるので、大口径の管Ｋや既設管Ｋであっても容易かつ正確に罫書くことが可能である。
【００３６】
また、発光部２０から照射される線状のレーザー光の照射角度を変更可能なので、管Ｋの軸に対して傾斜させて罫書くこともできる。
【００３７】
なお、本実施形態において、発光部２０から照射される線状のレーザー光の照射角度を変更可能であるとしたが、これに限られるものではなく、固定されていても横断切りの罫書きは可能である。
【００３８】
また、発光部２０から照射される線状のレーザー光は、前後、左右、上下の三方向であるとしたが、これに限られるものではなく、少なくとも下方に対し左右又は前後に伸びるように照射可能であればよい。
【００３９】
また、本実施形態においては軸が水平な管Ｋについて罫書き線を引いたが、軸が鉛直な管Ｋについても当然に同様にして罫書くことができる。
また、図３に示すように、例えばガスタンク等の球体についても、中心水平線を罫書く場合には罫書き治具１を上下方向又は水平方向に配置することで行うことが可能である。
【００４０】
また、管Ｋに罫書く場合に、頂点（基準点）から左右両方向に罫書き治具１を移動させるのではなく、図４に示すように例えば右方向だけに罫書き治具１を移動させると螺旋状に罫書くことができる。
【００４１】
また、図５に示すように、右壁１３ｃ又は左壁１３ｄに設置した水準器１５を用いることで、鉛直方向を基準点とした４５度の点、９０度の点、１３５度の点をそれぞれ罫書くことができる。
また、水準器１５は罫書き治具１に設置されることで便利になるが、必須の構成要素ではない。
【００４２】
基準点針１４はマーキングできれば針に限られず、他のペン等のマーカーであってもよい。
【００４３】
また、エルボー（曲管）の任意角度の横断切断を行う場合にも本実施形態の罫書き治具１を使用することで容易に罫書くことが可能である。
さらには、エビ管を直管で作る場合でも、本実施形態の罫書き方法を直管に対して繰り返すことで、従来より遥かに容易に罫書き、そしてエビ管を作成することができる。
なお、曲管とは管の方向を変えるために滑らかに、例えば９０度折れ曲がる管のことであり、一方、図６に示すようにエビ管Ｅとは直管を継ぎ接ぎして折れ曲がる管のことである。
【００４４】
また、罫書き治具１の材質はステンレスに限られるものではない。
【００４５】
また、発光部２０の高さ位置が十分に高ければ、発光部２０が管Ｋ同士を繋ぐフランジを超えて罫書き作業を行うこともできる。
さらには、脚部１２の高さが十分あれば脚部１２でフランジを超えて罫書き作業を行ってもよい。
【符号の説明】
【００４６】
１      罫書き治具
１０      本体部
１１      天板
１２      脚部
１３      壁部
１３ａ    前壁
１３ｂ    後壁
１３ｃ    右壁
１３ｄ    左壁
１４      基準点針
１５      水準器
２０      発光部
２１      発光土台部
Ｅ      エビ管
Ｋ      管
【図１】
2019200130.tif 000003
【図２】
2019200130.tif 000004
【図３】
2019200130.tif 000005
【図４】
2019200130.tif 000006
【図５】
2019200130.tif 000007
【図６】
2019200130.tif 000008
【手続補正書】
【提出日】平成30年8月9日(2018.8.9)
【手続補正１】
【補正対象書類名】特許請求の範囲
【補正対象項目名】全文
【補正方法】変更
【補正の内容】
【特許請求の範囲】
【請求項１】
管の切断線を罫書く罫書き治具であって、
天板と、
前記天板から下方に立設する四つの脚部と、
光源が前記天板よりも前方に突出し、少なくとも下方に対し線状にレーザー光を照射可能な発光部と、を備え、
前記四つの脚部は、前記天板の前後左右のそれぞれの端部から、前壁，後壁，右壁，及び左壁が下方に立設され前記前壁，前記後壁，前記右壁，及び前記左壁におけるそれぞれの中央の下方への立設量をそれぞれの端部における立設量よりも小さくなるように構成されてなり、
しかも前記前壁及び前記後壁は、中央から左右両側に向けて立設量が徐々に大きくなるように傾斜してなるとともに、
前記脚部下端はそれぞれ、前記天板と平行な同一平面内に存在することを特徴とする罫書き治具。
【請求項２】
前記発光部から照射される線状のレーザー光の照射角度を変更可能なことを特徴とする請求項１に記載の罫書き治具。
【請求項３】
前記発光部は、その直下の点を示すようにレーザー光を照射可能で、
しかも水準器を左右方向に延びるように前記天板に配置したことを特徴とする請求項１又は２に記載の罫書き治具。
【手続補正３】
【補正対象書類名】明細書
【補正対象項目名】０００９
【補正方法】変更
【補正の内容】
【０００９】
上記の目的を達成するために、本発明の請求項１に記載の罫書き治具（１）は、管（Ｋ）の切断線を罫書く罫書き治具（１）であって、天板（１１）と、前記天板（１１）から下方に立設する四つの脚部（１２）と、光源が前記天板（１１）よりも前方に突出し、少なくとも下方に対し線状にレーザー光を照射可能な発光部（２０）と、を備え、前記四つの脚部（１２）は、前記天板（１１）の前後左右のそれぞれの端部から、前壁（１３ａ），後壁（１３ｂ），右壁（１３ｃ），及び左壁（１３ｄ）が下方に立設され前記前壁（１３ａ），前記後壁（１３ｂ），前記右壁（１３ｃ），及び前記左壁（１３ｄ）におけるそれぞれの中央の下方への立設量をそれぞれの端部における立設量よりも小さくなるように構成されてなり、しかも前記前壁（１３ａ）及び前記後壁（１３ｂ）は、中央から左右両側に向けて立設量が徐々に大きくなるように傾斜してなるとともに、前記脚部（１２）下端はそれぞれ、前記天板（１１）と平行な同一平面内に存在することを特徴とする。
【手続補正４】
【補正対象書類名】明細書
【補正対象項目名】００１２
【補正方法】削除
【補正の内容】
【手続補正５】
【補正対象書類名】明細書
【補正対象項目名】００１３
【補正方法】削除
【補正の内容】
【手続補正６】
【補正対象書類名】明細書
【補正対象項目名】００１８
【補正方法】削除
【補正の内容】
【手続補正７】
【補正対象書類名】明細書
【補正対象項目名】００１９
【補正方法】変更
【補正の内容】
【００１９】
なお、本発明の罫書き治具のように、光源が前記天板よりも前方に突出し、少なくとも下方に対し線状にレーザー光を照射可能な発光部と、を備える点は、上述した特許文献１には全く記載されていない。